(57)【要約】【課題】差動プッシュプル法によるトラッキングエラー信号のｋ値調整を短時間で行うことができない点である。【解決手段】メインプッシュプル信号からサブプッシュプル信号の設定値ｋ倍を減算してトラッキングエラー信号を生成する場合に、設定値ｋに所定の値を設定し、対物レンズ内周移動時と外周移動時の２つの位置でのトラッキングエラー信号のオフセット変動値を計算し、その値からｋ値とオフセット変動値の設定表に基づいて前記設定値ｋを決定する。これにより、差動プッシュプル法によるトラッキングエラー信号のｋ値調整を短時間で行うことができる。【選択図】図３
2005310257.tif 000002
【特許請求の範囲】
【請求項１】
メイン光ビームとメイン光ビームを挟んで配置される少なくとも２つのサブビームを出射する光源と光ディスクに光を集光する対物レンズと前記対物レンズを移動するアクチュエータを備えた光ピックアップと、メイン光ビームより生成するメインプッシュプル信号からサブ光ビームより生成するサブプッシュプル信号の設定値ｋ倍を減算することによりトラッキングエラー信号を生成するトラッキングエラー信号生成回路と、トラッキングエラー信号に応じたトラッキング駆動信号を出力するトラッキング制御回路と、トラッキングエラー信号のオフセットと振幅との比率Ｒｔｏｆｓを検出するオフセット検出手段と、システム全体を制御するシステムコントローラと、前記トラッキング制御回路の出力もしくは前記システムコントローラの移動指令に応じて前記対物レンズを駆動するトラッキング駆動回路とを備え、前記設定値ｋに所定の値を設定し、前記対物レンズ内周移動時と外周移動時の２つの位置でのトラッキングエラー信号のオフセット変動値を計算し、その値からｋ値とオフセット変動値の設定表に基づいて前記設定値ｋを決定することを特徴とする光ディスク装置。
【請求項２】
メイン光ビームとメイン光ビームを挟んで配置される少なくとも２つのサブビームを出射する光源と光ディスクに光を集光する対物レンズと前記対物レンズを移動するアクチュエータを備えた光ピックアップと、メイン光ビームより生成するメインプッシュプル信号からサブ光ビームより生成するサブプッシュプル信号の設定値ｋ倍を減算することによりトラッキングエラー信号を生成するトラッキングエラー信号生成回路と、トラッキングエラー信号に応じたトラッキング駆動信号を出力するトラッキング制御回路と、トラッキングエラー信号のオフセットと振幅との比率Ｒｔｏｆｓを検出するオフセット検出手段と、システム全体を制御するシステムコントローラと、前記トラッキング制御回路の出力もしくは前記システムコントローラの移動指令に応じて前記対物レンズを駆動するトラッキング駆動回路とを備え、メインプッシュプル信号でトラッキングエラー信号を生成し、前記対物レンズ内周移動時と外周移動時の２つの位置でのメインプッシュプル信号でのトラッキングエラー信号のオフセット変動値を計算し、サブプッシュプル信号でトラッキングエラー信号を生成し、前記対物レンズ内周移動時と外周移動時の２つの位置でのサブプッシュプル信号でのトラッキングエラー信号のオフセット変動値を計算し、メインプッシュプル信号でのトラッキングエラー信号のオフセット変動値とサブプッシュプル信号でのトラッキングエラー信号のオフセット変動値との比を前記設定値ｋとすることを特徴とする光ディスク装置。
【請求項３】
前記比率ｋを前記トラッキングエラー信号生成回路に設定した後で、前記トラッキングエラー信号のバランスを調整するバランス調整手段をさらに備えることを特徴とする、請求項１または請求項２記載の光ディスク装置。
【請求項４】
前記トラッキングエラー信号から前記対物レンズ移動時の横切りトラック数をカウントし、前記対物レンズの移動量を求めるトラックカウント手段をさらに備えることを特徴とする、請求項１または請求項２記載の光ディスク装置。
【発明の詳細な説明】
【技術分野】
【０００１】
本発明は、光ディスク装置に関するものである。
【背景技術】
【０００２】
近年、光ディスク装置は映像信号および音響信号の記録・再生に広く利用されている。光ディスク装置において、光ディスクに書き込まれた情報を読み出す処理は、光ピックアップにより光ディスク上に形成される微小な光スポットとしてのレーザースポットで行われる。すなわち、この微小なレーザースポットが光ディスク上のトラックを走査することにより、光ディスクからの情報の読み出しが行われる。この場合、レーザースポットおよびトラックは微細であるため、振動などによってレーザースポットがトラックから外れてしまい、結果的に読み取りエラーが発生する恐れがある。したがって、光ディスクに書き込まれたデータを正確かつ連続的に読み出すには、レーザースポットをトラックに追従させるサーボ技術が不可欠である。このために、光ディスク装置では、トラッキングエラー信号に基づいて、レーザースポットをトラックに追従させるトラッキングサーボが一般に行われている。トラッキングサーボにおいて、光ディスクの半径方向への対物レンズ移動やチルトが発生すると、トラッキングエラー信号にはそれによるＤＣ成分が加算され、本来のトラック中心とは異なる位置をスポットが走査する、もしくはサーボ外れが発生するといった問題が生じる。したがって、この時に走査している点からトラック中心までの距離をオフセットとすると、安定したトラッキングエラー信号を得るには、対物レンズ移動等によるオフセットを０に抑えこむ手段、即ちオフセット成分の無いトラッキングエラー信号が得られる手段が不可欠である。
【０００３】
従来、光ディスク装置におけるトラッキングエラー信号検出には様々な方法が知られており、その一例として差動プッシュプル法がある。差動プッシュプル法は周知のように、光ディスクに照射する光ビームを３ビームとし、光ディスク上で一対のサブビームスポットをメインビームスポットに対して互いにディスク半径方向にずらして配置し、メインとサブのそれぞれのスポットに対してプッシュプル信号を検出し、それらの差動信号を取ってトラッキングエラー信号を検出するものである。この差動プッシュプル法を用いれば、メインビームのプッシュプル信号とサブビームのプッシュプル信号は、共にレンズ移動やチルト等によってオフセット成分が発生するため、これらの差分信号である差動プッシュプル信号はメインプッシュプル信号とサブプッシュプル信号の比率を適切に設定することで、オフセット成分をキャンセルすることができるという利点がある。
【０００４】
つまり、差動プッシュプル法によるトラッキングエラー信号は、メインプッシュプル信号からｋ倍（以下、ｋ値とする）したサブプッシュプル信号を減算することでトラッキングエラー信号を生成する。このｋ値は光ピックアップの性能ばらつき、ディスクばらつき等によって必ずしも一定とならないため、光ディスク装置に装着されるディスクごとに最適なｋ値を調整することが望ましい。
【０００５】
ｋ値調整の方式として、トラッキング駆動回路に所定周波数の外乱信号を注入し、外乱信号注入により発生するトラッキングエラー信号のオフセットをフィルタ回路により計測し、その外乱信号周期１周期に対しての振幅変動値を計測し、この計測をｋ値を変えながら所定の回数行い、外乱信号周期１周期に対しての振幅変動値が最小になるｋ値を設定するという方法がある（例えば、特許文献１参照）。
【０００６】
図１２に、従来の光ディスク装置のｋ値調整方式のフローチャートを示す。まず、トラッキングエラー信号が正しく検出できる状態とした後、外乱信号をトラッキング駆動回路に供給する（ステップ１２１）。外乱信号によるトラッキング駆動が安定状態となった後、計測回数ｉ＝０に対応した初期ｋ値を設定する（ステップ１２２）。そして、外乱信号１周期分のトラッキングエラー信号のオフセットの最大値と最小値から１周期でのオフセット振幅値を計測する（ステップ１２３）。そして、計測回数ｉに１を加算して（ステップ１２４）、その値が所定回数ｎ未満であれば（ステップ１２５）、次の計測回数に対応したｋ値を設定し（ステップ１２６）、もう一度ステップ１２３からの計測を行う。計測回数ｉに１を加算して（ステップ１２４）、その値が所定回数以上であれば（ステップ１２５）、所定回数の計測で測定したオフセット振幅値の最小値を検出し、そのオフセット振幅値となった時のｋ値を設定する（ステップ１２７）し、ｋ値調整を終了する。
【０００７】
しかしながら、上記のような構成ではトラッキング駆動回路に与える外乱信号の１周期期間の計測を所定回数ｎ回分必要とするため、調整時間とｋ値調整精度のバランスをうまくとることができないという課題がある。すなわち、ｋ値調整の精度が必要な場合は、計測回数ｎを大きくしなければならないため、計測回数ｎが大きくなることによって調整時間が長くなってしまう。逆に、ｋ値調整の時間を短くする必要がある場合は、計測回数ｎを小さくしなければならないため、計測回数ｎを小さくすることによってｋ値の調整精度が悪くなってしまう。さらに、この方式ではオフセット振幅値の最小値を検出する必要があるため、計測回数ｎは最低２以上必要であり、調整精度にかかわらず一定の調整時間が必要となる課題もある。
【０００８】
本発明は上記課題を鑑み、差動プッシュプル法によるトラッキングエラー信号のｋ値調整を短時間で精度よく行う光ディスク装置を提供するものである。
【特許文献１】特開２００３−３０３４２７号公報
【発明の開示】
【発明が解決しようとする課題】
【０００９】
解決しようとする課題は、差動プッシュプル法によるトラッキングエラー信号のｋ値調整を短時間で行うことができない点である。
【課題を解決するための手段】
【００１０】
メインプッシュプル信号からサブプッシュプル信号の設定値ｋ倍を減算することにより差動プッシュプル方式でトラッキングエラー信号を生成するトラッキングエラー信号生成回路を備えた光ディスク装置において、設定値ｋに所定の値を設定し、光ディスク半径方向に沿って対物レンズを所定量内周に移動した時のトラッキングエラー信号のオフセット検出手段の出力値Ｒｔｏｆｓ１と、同じく外周に移動した時のトラッキングエラー信号のオフセット検出手段の出力値Ｒｔｏｆｓ２とから、対物レンズ内周移動時と外周移動時の２つの位置でのトラッキングエラー信号のオフセット変動値（Ｒｔｏｆｓ１―Ｒｔｏｆｓ２）を計算し、その値からｋ値とオフセット変動値の設定表に基づいて設定値ｋを決定してトラッキングエラー信号生成回路に前記設定値ｋを設定することで、差動プッシュプル法によるトラッキングエラー信号のｋ値調整を短時間で行うことができる。
【発明の効果】
【００１１】
本発明により、差動プッシュプル法によるトラッキングエラー信号のｋ値調整を短時間で行う光ディスク装置を提供することができる。
【発明を実施するための最良の形態】
【００１２】
（実施の形態１）
以下に本発明の光ディスク装置、実施の形態を説明する。図１は、本発明の実施の形態１のブロック図を示している。図１において、１は光ディスク、２は光ピックアップ、３はトラッキングエラー信号生成回路、４はトラッキング制御回路、５はオフセット検出手段、６はトラッキング駆動回路、７はシステムコントローラである。光ピックアップ２は、メイン光ビームとメイン光ビームを挟んで配置される２つのサブビームを出射する光源と光ディスクに光を集光する対物レンズと対物レンズを駆動するアクチュエータを備えており、光ディスクにレーザーを出射しかつ光ディスクからのレーザー反射光を受光し、光ディスク上に記録された情報を読み取る。トラッキングエラー信号生成回路３は、光ピックアップ２の情報読み取り信号からトラッキングエラー信号を生成する。トラッキング制御回路４は、トラッキングエラー信号を入力し、そのトラッキングエラー信号に応じたトラッキング駆動信号を生成する。オフセット検出手段５は、トラッキングエラー信号を入力し、トラッキングエラー信号のオフセットとトラッキングエラー信号振幅との比率（以下、Ｒｔｏｆｓ）を検出する。トラッキング駆動回路６は、トラッキング制御回路４からのトラッキング駆動信号に応じて対物レンズを駆動する。システムコントローラ７は、トラッキングエラー信号生成回路３にｋ値を設定したり、トラッキング駆動回路６に強制移動の指令を出力することで対物レンズを移動するなどシステム全体を制御している。
【００１３】
図２はトラッキングエラー信号生成回路３であり、差動プッシュプル法によるトラッキングエラー信号生成方式の一構成例を示す図である。２１，２２，２３は、それぞれ光ディスクからの反射光を受光する二分割された受光素子を備えた二分割受光素子であり、二分割受光素子２１がメインビームスポットの反射光を、二分割受光素子２２と２３がそれぞれサブビームスポットの反射光を受光する。それぞれの二分割受光素子は四分割受光素子である場合もあるが、ここではその分割線は省略している。２４は二分割受光素子２１の各分割受光素子の差分信号を演算する差分演算回路であり、この差分信号がメインビームのプッシュプル信号ＭＰＰである。同様にして、２５と２６はそれぞれ二分割受光素子２２と２３の各分割受光素子の差分信号を演算する差分演算回路であり、２７は差分演算回路２５及び２６の出力信号ＳＰＰ１及びＳＰＰ２の和信号を演算する和演算回路であり、この和演算回路２７からの出力信号が一対のサブビームのプッシュプル信号ＳＰＰになる。そのサブプッシュプル信号ＳＰＰは、システムコントローラからその利得を設定することができる可変利得増幅器２８によってｋ倍され、差分演算回路２９によってメインプッシュプル信号ＭＰＰとの差分信号、つまり下記の数式１によって差動プッシュプル信号ＤＰＰが生成される。
【００１４】
【数１】
2005310257.tif 000003
【００１５】
図３は、ｋ値調整動作を示すフローチャートであり、図３を用いてｋ値調整動作を説明する。まず、トラッキングサーボ制御との関係から光ディスク半径方向に沿って対物レンズを内周側と外周側にそれぞれＡ移動させた時の、Ｒｔｏｆｓ計測値の差であるＲｔｏｆｓ変動値がＢ以内になるように調整することとする（ステップ３１）。対物レンズを内外周側それぞれＡ移動させた時にＢ以内のＲｔｏｆｓ変動値という調整範囲を考慮して、Ｒｔｏｆｓ変動値をＢ調整するのにｋ値をどれだけ変化させればいいのかについてあらかじめ測定しておく。具体的には、対物レンズを内外周側それぞれＡ移動させた時にｋ値の値によってＲｔｏｆｓ変動値がどのような関係となっているのかをあらかじめ測定しておき、ｋ値とＲｔｏｆｓ変動値の関係を求める。測定した結果から、ｋ値０．４あたりＲｔｏｆｓ変動値をほぼＢ調整できることが分かったため、ｋ値を０．４刻みで調整することとする（ステップ３８からステップ４１までの条件分岐を決定）。次に、ｋ＝１．０と設定して（ステップ３２）、対物レンズを内周側にＡ移動させ（ステップ３３）、Ｒｔｏｆｓ１を計測する（ステップ３４）。同様にして、対物レンズを外周側にＡ移動させ（ステップ３５）、Ｒｔｏｆｓ２を計測する（ステップ３６）。これにより、対物レンズを内外周側それぞれＡ移動させた時のＲｔｏｆｓ変動値（Ｒｔｏｆｓ１−Ｒｔｏｆｓ２）を算出する（ステップ３７）ことができる。そして、Ｒｔｏｆｓ変動値から、Ｒｔｏｆｓ変動値＜−２＊Ｂ  であればｋ＝０．２とし（ステップ３８）、−２＊Ｂ≦Ｒｔｏｆｓ変動値＜−Ｂ  であればｋ＝０．６とし（ステップ３９）、−Ｂ≦Ｒｔｏｆｓ変動値≦Ｂ  であればｋ＝１．０とし（ステップ４０）、Ｂ＜Ｒｔｏｆｓ変動値≦２＊Ｂであればｋ＝１．４とし（ステップ４１）、２＊Ｂ＜Ｒｔｏｆｓ変動値であればｋ＝１．８として（ステップ４２）ｋ値を設定する。なお、ここではＲｔｏｆｓ変動値を算出するのに、内周側移動時のＲｔｏｆｓから外周側移動時のＲｔｏｆｓを引いているが、外周側移動時のＲｔｏｆｓから内周側移動時のＲｔｏｆｓを引いてもよい。
【００１６】
図４は、差動プッシュプル法で生成されたトラッキングエラー信号のレンズ移動量に対するＲｔｏｆｓ変動の一例を示している。図４（ａ）は、あるｋ値に設定された差動プッシュプル法で生成されたトラッキングエラー信号のレンズ移動量に対するＲｔｏｆｓ変動値の一例を示している。図４（ａ）に示すように差動プッシュプル法で生成されたトラッキングエラー信号では、レンズ移動量とＲｔｏｆｓはほぼリニアな関係となっている。図４（ｂ）は、ｋ＝１．０で対物レンズを内周側にＡ移動させＲｔｏｆｓ１を計測し、同様にして、対物レンズを外周側にＡ移動させＲｔｏｆｓ２を計測し、その２点を結んだ図（図４（ｂ）に点線で示す）と、Ｒｔｏｆｓ変動値からｋ＝１．８と設定し、対物レンズを内外周側それぞれＡ移動させた時の、ｋ値調整後Ｒｔｏｆｓ変動の図（図４（ｂ）に実線で示す）である。ｋ＝１．０で測定したＲｔｏｆｓ変動値から決定したｋ＝１．８設定後のＲｔｏｆｓ変動値が、ｋ＝１．０設定時のＲｔｏｆｓ変動値と比較して抑制されていることが分かる。このようにして、ｋ＝１．０の対物レンズ内外周側それぞれＡ移動時２つの位置でのＲｔｏｆｓ変動値からｋ値を算出することができる。この例のように、ｋ値とＲｔｏｆｓ変動との関係は、ピックアップのばらつきとトラッキングサーボ制御が安定であるレンズ移動範囲等を考慮し、所定のレンズ移動量に対してＲｔｏｆｓ変動がある値以内の精度となるように、ピックアップでの計測やシステムでの計測等であらかじめ決定しておけばよい。
【００１７】
図５は、差動プッシュプル法によるトラッキングエラー信号生成方式の他の構成例を示す図である。図２の構成例でのｋ値調整と比較して、対物レンズの内外周移動を２回する必要があるが、あらかじめｋ値とＲｔｏｆｓ変動値の関係を求めなくてもｋ値を決定することができる利点がある。図２と同じ構成要件には図２と同じ番号を付している。図２と異なる点は、切替器５１である。切替器５１により、ｋ＝０として切替器をＯＮした場合はメインプッシュプル信号、ｋ＝１として切替器をＯＦＦした場合はサブプッシュプル信号、ｋ＝０以外で切替器をＯＮした場合はメインプッシュプル信号からｋ倍したサブプッシュプル信号を減算した差動プッシュプル信号と、トラッキングエラー信号の生成方式を選択することができる。メインプッシュプル信号とサブプッシュプル信号のそれぞれでトラッキングエラー信号を生成できるため、まず、メインプッシュプル信号でトラッキングエラー信号を生成し、対物レンズを内周側に所定量移動させＲｔｏｆｓ３を計測し、同様にして、対物レンズを外周側に所定量移動させＲｔｏｆｓ４を計測する。これにより、対物レンズを内外周側それぞれ所定量移動させた時のメインプッシュプル信号から生成したトラッキングエラー信号のオフセット変動値（Ｒｔｏｆｓ３−Ｒｔｏｆｓ４）を算出する。同様にして、サブプッシュプル信号でトラッキングエラー信号を生成し、対物レンズを内周側に所定量移動させＲｔｏｆｓ５を計測し、同様にして、対物レンズを外周側に所定量移動させＲｔｏｆｓ６を計測する。これにより、対物レンズを内外周側それぞれ所定量移動させた時のサブプッシュプル信号から生成したトラッキングエラー信号のオフセット変動値（Ｒｔｏｆｓ５−Ｒｔｏｆｓ６）を算出する。なお、ここではＲｔｏｆｓ変動値を算出するのに、内周側移動時のＲｔｏｆｓから外周側移動時のＲｔｏｆｓを引いているが、外周側移動時のＲｔｏｆｓから内周側移動時のＲｔｏｆｓを引いてもよい。
それぞれ独立で計測したメインプッシュプル信号とサブプッシュプル信号のオフセット変動値から、下記の数式２により、ｋ値を算出することができる。
【００１８】
【数２】
2005310257.tif 000004
【００１９】
なお、ここでは、切替器を用いてメインプッシュプル信号とサブプッシュプル信号のオフセット変動値をそれぞれ独立で計測する例を挙げたが、ｋ＝０設定時のメインプッシュプル信号のオフセット変動値とｋ＝１設定時の差動プッシュプル信号のオフセット変動値から、サブプッシュプル信号のオフセット変動値を算出してもよい。
【００２０】
図６は、ｋ値調整を含めたトラッキングエラー信号調整のブロック図である。図６において、図１と同じ構成要件には図１と同じ番号を付している。図６と異なる点は、図１のトラッキングエラー信号生成回路２にバランス調整入力が追加されたトラッキングバランス入力付トラッキングエラー信号生成回路１０と、トラックカウント手段８とトラッキングバランス調整手段９が付加されていることである。まず、このトラックカウント手段８とトラッキングバランス調整手段９について説明する。
【００２１】
図７は、トラックカウント手段８の一構成例を示す図であり、図８は、対物レンズを光ディスク半径方向に沿って移動させた時に出力されるトラッキングエラー信号の一例を示した図である。図７で、２値化回路７１において入力されたトラッキングエラー信号を２値化し、エッジ検出回路７２において２値化された信号のエッジを検出し、エッジカウント回路７３において検出されたエッジをカウントすることでトラック数をカウントする。対物レンズを半径方向に移動させると光スポットがトラック溝を横切り、図８に示すようなトラッキングエラー信号が検出でき、光ディスクのトラック間距離は規格で定められた一定の値であるため、トラックカウント手段でトラック数を計測することで、その値から正確なレンズ移動量を求めることができる。これにより、ｋ値調整時のレンズ移動において光ピックアップのトラッキング感度のばらつきに関係なく正確な値でレンズを移動させることができるようになる。
【００２２】
図９は、トラックバランス調整手段９の設定値を入力するバランス調整入力を備えるトラッキングエラー信号生成回路の一構成例を示す図であり、図１０は、ｋ値調整後に対物レンズを半径方向に移動させた時に出力されるトラッキングエラー信号の一例を示した図である。９１は、光ディスクからの反射光を受光する二分割された受光素子を備えた二分割受光素子であり、図９のトラッキングエラー信号生成回路ではこの二分割受光素子９１からトラッキングエラー信号を生成するとする。９２、９３は、二分割受光素子各信号Ａ、Ｂが入力される可変利得増幅器であり、トラッキングバランス調整手段によって決定される設定値αに応じて利得が決定される。９４は可変利得増幅器出力の差分信号を演算する差分演算回路である。つまり、図９のトラッキングエラー信号生成回路では、下記の数式３により、トラッキングエラー信号となるトラッキングバランス調整後の出力Ｃが決定される。
【００２３】
【数３】
2005310257.tif 000005
【００２４】
数式３の関係から、αに応じてオフセットレベルが変更する。図１０（ａ）に示すように、トラッキングエラー信号のオフセット値（図１０（ａ）に点線で示す）が基準レベル（図１０（ａ）に実線で示す）からずれている場合に、トラッキングバランス調整手段では、設定値αを変えながらオフセット値を検出しトラッキングエラー信号のオフセット値が基準レベルと一致するように設定値αを決定する。図１０（ｂ）はトラッキングバランス調整後のトラッキングエラー信号を示す図である。このように、トラッキングエラー信号のオフセット値が基準レベルと一致すれば、トラッキングサーボが最も安定した状態となる。なお、ここではトラッキングエラー信号のオフセット値をバランス調整の基準としてバランス調整を行っているが、トラッキングエラー信号の振幅中心値を基準としてバランス調整を行ってもよい。また、ここでは一例として可変利得増幅器に設定値αを設定することでバランス調整を行っているが、オフセット回路を用いて行ってもよい。
【００２５】
次に、ｋ値調整を含めたトラッキングエラー信号調整の動作を説明する。まず、ｋ値調整を行う。この時、トラックカウント手段８により、光ピックアップのトラッキング感度のばらつきに関係なく、対物レンズを正確な移動量で移動させることができるようになる。ｋ値調整により、レンズ移動量に対するＲｔｏｆｓ変動値が、前述した図４（ｂ）のように調整されたとする。ここで、トラッキングバランス調整手段９により、ｋ値調整後のトラッキングエラー信号のオフセットレベルを調整することで、レンズ移動量に対するＲｔｏｆｓ変動が図１１の点線で示した状態から、図１１の実線で示した状態に調整される。この一連の動作により、トラッキングサーボ制御に最適なトラッキングエラー信号を得ることができる。
【００２６】
なお、本発明は、ここで説明した実施例によって限定されるものではなく、同様の効果を得られるやり方はほかにも考えられる。
【産業上の利用可能性】
【００２７】
本発明の光ディスク装置は、トラッキングエラー信号生成回路の方法により、その他の方式のトラッキングエラー信号を用いた光ディスクやその他の媒体からの再生装置にも適用できる。
【図面の簡単な説明】
【００２８】
【図１】本発明の実施の形態に於けるブロック図
【図２】本発明の実施の形態に於けるトラッキングエラー信号生成回路の構成例を示す図
【図３】本発明の実施の形態に於けるｋ値調整の動作フローチャート
【図４】本発明の実施の形態に於けるレンズ移動量とＲｔｏｆｓとの関係を示す図
【図５】本発明の実施の形態に於けるトラッキングエラー信号生成回路の他の構成例を示す図
【図６】本発明の実施の形態に於けるトラッキングエラー信号調整のブロック図
【図７】本発明の実施の形態に於けるトラックカウント手段の一構成例を示す図
【図８】本発明の実施の形態に於けるレンズ移動時のトラッキングエラー信号説明図
【図９】本発明の実施の形態に於けるトラッキングバランス入力付トラッキングエラー信号生成回路の一構成例を示す図
【図１０】本発明の実施の形態に於けるトラッキングバランス調整手段の動作説明図
【図１１】本発明の実施の形態に於けるトラッキングエラー信号調整後のレンズ移動量とＲｔｏｆｓとの関係を示す図
【図１２】従来の光ディスク装置のｋ値調整のフローチャート
【符号の説明】
【００２９】
１    光ディスク
２    光ピックアップ
３    トラッキングエラー信号生成回路
４    トラッキング制御回路
５    オフセット検出手段
６    トラッキング駆動回路
７    システムコントローラ
８    トラックカウント手段
９    トラッキングバランス調整回路
１０    トラッキングバランス入力付トラッキングエラー信号生成回路
２１、２２、２３    二分割受光素子
２４、２５、２６，２９    差分演算回路
２７    加算回路
２８    可変利得増幅器
５１    切替器
７１    ２値化回路
７２    エッジ検出回路
７３    エッジカウント回路
９１    二分割受光素子
９２、９３    可変利得増幅器
９４    差分演算回路
【図１】
2005310257.tif 000006
【図２】
2005310257.tif 000007
【図３】
2005310257.tif 000008
【図４】
2005310257.tif 000009
【図５】
2005310257.tif 000010
【図６】
2005310257.tif 000011
【図７】
2005310257.tif 000012
【図８】
2005310257.tif 000013
【図９】
2005310257.tif 000014
【図１０】
2005310257.tif 000015
【図１１】
2005310257.tif 000016
【図１２】
2005310257.tif 000017